(57)【要約】【課題】電子機器、及び電子機器相互の映像および音声の出力方法を提供する。【解決手段】実施形態によれば、電子機器は、デコーダ部と、映像処理部と、音声処理部と、通信部と、制御部と、を具備する。デコーダ部は、映像データ及び音声データの少なくとも一方を含むコンテンツをデコードする。映像処理部は、デコーダ部がデコードした映像データを映像表示部が表示する映像信号に処理する。音声処理部は、デコーダ部がデコードした音声データを音声再生部が再生する音声信号に処理する。通信部は、デコーダ部がデコードした映像データ及び音声データ及び映像処理部が処理した映像信号および音声処理部が処理した音声信号を、相手先機器に送信する。制御部は、相手先機器の機能または特性の少なくとも１つに対し、通信部が送信する映像データ、音声データ、映像信号及び音声信号の組み合わせを設定する。【選択図】図１Ｂ
2013135454.tif 000002
【特許請求の範囲】
【請求項１】
映像データ及び音声データの少なくとも一方を含むコンテンツをデコードするデコーダ部と、
前記デコーダ部がデコードした映像データを映像表示部が表示する映像信号に処理する映像処理部と、
前記デコーダ部がデコードした音声データを音声再生部が再生する音声信号に処理する音声処理部と、
前記デコーダ部がデコードした前記映像データ及び前記音声データ及び前記映像処理部が処理した前記映像信号および前記音声処理部が処理した前記音声信号を、接続相手先機器に送信する通信部と、
前記接続相手先機器の機能または特性の少なくとも１つに対し、前記通信部が送信する前記映像データ、前記音声データ、前記映像信号及び前記音声信号の組み合わせを設定する制御部と、
を具備する電子機器。
【請求項２】
前記制御部は、前記接続相手先機器の機能または特性と自身の機能または特性とを比較し、高機能またはより高い特性を実現する組み合わせを設定する請求項１記載の電子機器。
【請求項３】
前記制御部が設定する機能または特性は、少なくとも消費電力に関する項目を含む請求項１または２記載の電子機器。
【請求項４】
前記制御部が設定する機能または特性は、少なくとも前記映像処理部の特性に関する項目を含む請求項１または２記載の電子機器。
【請求項５】
前記制御部が設定する機能または特性は、少なくとも前記音声処理部の特性に関する項目を含む請求項１または２記載の電子機器。
【請求項６】
前記制御部が設定する機能または特性に関し、外部からの設定を可能とする制御入力部をさらに具備する請求項２記載の電子機器。
【請求項７】
前記制御部が設定する機能または特性に関し、外部からの設定を可能とする制御入力部をさらに具備する請求項３〜５のいずれかに記載の電子機器。
【請求項８】
映像データ及び音声データの少なくとも一方を含むコンテンツをデコードするデコーダ部と、
前記デコーダ部がデコードした映像データを映像表示部が表示する映像信号に処理する映像処理部と、
前記デコーダ部がデコードした音声データを音声再生部が再生する音声信号に処理する音声処理部と、
前記ファイルまたは接続相手先機器が処理した映像信号または音声信号の少なくとも１つを前記接続相手先機器から受信する通信部と、
前記通信部が受信する前記接続相手先機器からの前記ファイルまたは接続相手先機器が処理した映像信号または音声信号の組み合わせを、前記接続相手先機器が設定するための自身の機能または特性の少なくとも１つの情報を、前記接続相手先機器が読み取り可能に保持し、前記デコーダ部、前記映像処理部及び前記音声処理部の動作を設定する制御部と、
を具備する電子機器。
【請求項９】
前記制御部が設定する機能または特性は、少なくとも消費電力に関する項目を含む請求項８記載の電子機器。
【請求項１０】
前記制御部が設定する機能または特性は、少なくとも前記映像処理部の特性に関する項目を含む請求項８または９記載の電子機器。
【請求項１１】
前記制御部が設定する機能または特性は、少なくとも前記音声処理部の特性に関する項目を含む請求項８または９記載の電子機器。
【請求項１２】
前記制御部が設定する機能または特性に関し、外部からの設定を可能とする制御入力部をさらに具備する請求項８記載の電子機器。
【請求項１３】
双方向通信インタフェースにより接続する送信側電子機器および受信側電子機器の相互間で映像および音声を出力する出力方法において、
送信側機器の機能または特性と相手先機器の機能または特性を比較し、
高機能またはより高い特性を実現する映像データ、音声データ、映像信号及び音声信号組み合わせを設定し、
送信側機器から受信側機器に映像および音声を供給する映像および音声の出力方法。
【発明の詳細な説明】
【技術分野】
【０００１】
本発明の実施の形態は、双方向通信インタフェースにより接続する電子機器、及び電子機器相互の映像および音声の出力方法に関する。
【背景技術】
【０００２】
双方向通信インタフェース、例えばＨＤＭＩ（High-definition Digital Media Interface）バージョン１．２ａ以降により接続する電子機器においては、接続相手先の機器相互間において、映像および音声の再生能力や接続相手先の基本的な情報の受け渡しが可能である。
【先行技術文献】
【特許文献】
【０００３】
【特許文献１】特開２００９−８９２０９号公報
【発明の概要】
【発明が解決しようとする課題】
【０００４】
双方向通信インタフェース、例えばＨＤＭＩ（High-definition Digital Media Interface）により接続する電子機器は、主として映像および音声からなるコンテンツを出力するソース（Source）機器と、主として受け取ったコンテンツを処理し、表示するシンク（Sink）機器に、大まかに区分される。
【０００５】
なお、バージョン１．４以降においては、ベースバンド伝送とイーサネット（登録商標）を利用するイーサネット伝送が可能である。特に、イーサネット伝送においては、ＤＬＮＡ（Digital Living Network Alliance）規格に従う圧縮伝送も可能である。
【０００６】
反面、ソース機器やシンク機器及びＨＤＭＩ伝送に利用可能なケーブル（ＨＤＭＩケーブル）は、製造時期や基本的な設計の世代に応じて様々な特性を持つ。このため、シンク機器のデコーダの処理能力に比較してソース機器のデコーダの処理能力が高い場合や、デコーダの処理能力が高いが消費電力も多い、等のトレードオフが生じることがある。
【０００７】
この発明の目的は、双方向通信インタフェースにより接続する電子機器、及び電子機器相互の映像および音声の出力方法を提供することである。
【課題を解決するための手段】
【０００８】
実施形態によれば、電子機器は、デコーダ部と、映像処理部と、音声処理部と、通信部と、制御部と、を具備する。デコーダ部は、映像データ及び音声データの少なくとも一方を含むコンテンツをデコードする。映像処理部は、前記デコーダ部がデコードした映像データを映像表示部が表示する映像信号に処理する。音声処理部は、前記デコーダ部がデコードした音声データを音声再生部が再生する音声信号に処理する。通信部は、前記デコーダ部がデコードした前記映像データ及び前記音声データ及び前記映像処理部が処理した前記映像信号および前記音声処理部が処理した前記音声信号を、接続相手先機器に送信する。制御部は、前記接続相手先機器の機能または特性の少なくとも１つに対し、前記通信部が送信する前記映像データ、前記音声データ、前記映像信号及び前記音声信号の組み合わせを設定する。
【図面の簡単な説明】
【０００９】
【図１Ａ】実施形態を適用する第一の電子機器（録画再生装置）と第一の電子機器に接続する第二の電子機器（映像表示装置）の一例を示す。
【図１Ｂ】実施形態を適用する第一の電子機器（録画再生装置）と第一の電子機器に接続する第二の電子機器（映像表示装置）を接続する双方向インタフェース（ＨＤＭＩケーブル）の一例を示す。
【図２】実施形態を適用する双方向通信インタフェースにより相互に接続するソース機器（第一の電子機器）とシンク機器（第二の電子機器）との間の映像および音声の出力方法の一例を示す。
【図３Ａ】実施形態を適用する双方向通信インタフェースにより相互に接続するソース機器（第一の電子機器）とシンク機器（第二の電子機器）との間の映像および音声の出力方法の一例を示す。
【図３Ｂ】実施形態を適用する双方向通信インタフェースにより相互に接続するソース機器（第一の電子機器）とシンク機器（第二の電子機器）との間の映像および音声の出力方法の一例を示す。
【図４】実施形態を適用するソース機器とシンク機器との間の映像および音声の出力方法における「ユーザ選択画面」表示の一例を示す。
【図５】実施形態を適用するソース機器とシンク機器との間の映像および音声の出力方法における「ユーザ選択画面」表示の一例を示す。
【図６】実施形態を適用するソース機器として利用可能な電子機器（レコーダ装置）の構成の一例を示す。
【図７】実施形態を適用するシンク機器として利用可能な電子機器（テレビ受信装置）の構成の一例を示す。
【発明を実施するための形態】
【００１０】
以下、実施の形態について図面を参照して説明する。
【００１１】
図１Ａは、実施形態を適用する第一の電子機器（録画再生装置）と第一の電子機器に接続する第二の電子機器（映像表示装置）の一例を示す。なお、実施形態においては、第一の電子機器としてコンテンツ（映像および音声、あるいは静止画）を記録し、再生する記録再生装置、例えばレコーダ装置を、第二の電子機器として、主としてコンテンツ（映像および音声、あるいは静止画）を受け取り、表示する映像表示装置、例えばテレビ受信装置を例に説明するが、これに限定されることはない。すなわち、放送受信装置、放送受信機能付き携帯電話、放送受信機能付きパーソナルコンピュータ、及び放送受信装置が搭載された映像記録装置等、放送受信装置を備えた機器であれば何でも良い。また、放送は空中を伝播してくる電波を受信するものに限らず、ケーブルやＩＰ（インターネット・プロトコル）網等のネットワークを介して放送局から配信される番組を受信可能な放送でも良い。なお、コンテンツは、番組、ストリームまたはファイルとも称され、音声もしくは音楽等のみであってもよい。また、映像は、動画と静止画に加え、テキストを主体とした文字放送やデータ放送の表示等を含む。
【００１２】
図１Ａにおいて、第一の電子機器（以下ソース（Source）機器と称する場合もある）１０１は、主制御部であるＣＰＵ（制御ブロック）１１１、コンテンツを記録（保持）する記録部（ストレージ）１１２、コンテンツをデコードするデコーダ１１３、デコードされた映像を処理する映像（Video）処理部１１４、デコードされた音声（Audio）を処理する音声（Audio）処理部１１５、および接続相手方機器との間の双方向通信インタフェース３０１に、コンテンツ（圧縮データそのもの）あるいはデコードした映像信号もしくはデコードした音声信号を出力する信号伝送部（通信部）１１６、を少なくとも含む。なお、信号伝送部（通信部）１１６は、以下に説明するシンク機器を受信側とみなすことにより、送信側としての位置づけから送信部（Ｔｘ）と称する場合がある。
【００１３】
制御ブロック（ＣＰＵ）１１１は、例えばソース機器１０１の各部の動作、電源のオン／オフ、ユーザ入力の受けつけ、デコーダによるデコードおよび信号伝送部１１６による信号伝送、等を制御する。
【００１４】
記録部（ストレージ）１１２は、例えばＨＤＤ（Hard Disk Drive）や、ブルーレイ（ＢＤ）規格、ＤＶＤ規格、ＣＤ規格等の代表される光ディスクや、ＳＤ（Secure Digital）メモリカード等に代表される半導体メモリ、等の任意の記録媒体を少なくとも１つ以上再生可能で、ユーザ要求に従い、コンテンツを保持できる。
【００１５】
デコーダ１１３は、記録部１１２が保持するコンテンツすなわちデジタル信号化された様々なファイルを、映像信号（ファイル）および音声信号（ファイル）に分離したのち、デコードする。デコード（再生処理）可能なファイルとしては、例えばオーディオ（Audio）／ビデオ（Video）コンテンツ、あるいは文字などのテキストデータや写真データ等の種々のデータ、例えばビデオ（Video、動画）については、例えばＭＰＥＧ（Moving Picture Experts Group）−１、−２、−４（Ｈ．２６４／ＡＶＣ）、オーディオ（Audio、音声／音楽）については、例えばＭＰ３（MPEG Audio layer-3）、ＡＣ３（Audio Code number 3）、リニアＰＣＭ（Pulse Coded Module）、静止画については、例えばＪＰＥＧ（Joint Photographic Experts Group）、等が、広く知られている。なお、デコーダ１１３の前段に、分離部（Ｄｅｍｕｘ）が設けられ、デコーダ１１３による分離処理（工程）が、独立して実行されてもよい。
【００１６】
映像処理部１１４は、ソース機器１０１に、モニタ装置（ディスプレイ）が接続された場合に、モニタ装置が表示可能な映像信号を出力する。
【００１７】
音声処理部１１５は、ソース機器１０１に、スピーカ（もしくはオーディオアンプ装置）等の音声再生装置が接続された場合に、その装置が再生可能な音声信号を出力する。
【００１８】
なお、デコーダ１１３は、以下に説明する双方向通信インタフェースを通じて接続する相手方機器が保持するデコーダの信号処理能力（機能）や消費電力に基づいて、デコード処理を相手方機器に委ねることもできる。同様に、映像処理部１１４においても、双方向通信インタフェースを通じて接続する相手方機器の映像処理部の処理能力（再生機能）や消費電力に基づいて、映像処理を相手方機器に委ねることもできる。また、音声処理部１１５も、双方向通信インタフェースを通じて接続する相手方機器の処理能力（再生機能）や消費電力に基づいて、音声処理を相手方機器に委ねることもできる。
【００１９】
この場合、デコーダ１１３、映像処理部１１４及び音声処理部１１５のそれぞれの信号処理能力（機能）と相手方機器の対応するそれぞれの処理能力（機能）の比較は、例えば相手方機器のＥＤＩＤ（Extended Display Identification Data）の検出（ＨＰＤ（Hot Plug Detected）により双方向通信インタフェースにより相手方機器を認識できた時点で取得できる）、及び後段に説明するＣＥＣ（Consumer Electronics Control）ラインを用いる、例えばベンダ（Vendor）コマンド等により取得した処理能力（機能）について、ＣＰＵ１１１またはそのファームウエアもしくは検出のためのアプリケーション（プログラム）において、実現できる。
【００２０】
図１Ａにおいて、第二の電子機器（以下シンク（Sink）機器と称する場合もある）２０１は、主制御部であるＣＰＵ（制御ブロック）２１１、コンテンツを記録（保持）する記録部（ストレージ）２１２、コンテンツをデコードするデコーダ２１３、デコードされた映像を処理する映像（Video）処理部２１４、デコードされた音声（Audio）を処理する音声（Audio）処理部２１５、および接続相手方機器との間で、双方向通信インタフェースを介してコンテンツ（圧縮データそのもの）あるいは相手方機器によりデコードされた映像信号もしくはデコードされた音声信号を受信する信号伝送部（通信部）２１６、を少なくとも含む。なお、信号伝送部（通信部）２１６は、上述したソース機器を送信側とみなすことにより、受信側としての位置づけから受信部（Ｒｘ）と称する場合がある。
【００２１】
なお、第二の電子機器２０１は、再生された映像を表示するモニタ部（ディスプレイ）２１７および再生された音声（オーディオ）を出力するスピーカ２１８を含む。
【００２２】
制御ブロック（ＣＰＵ）２１１は、例えばシンク機器１０１の各部の動作、電源のオン／オフ、ユーザ入力の受けつけ、デコーダによるデコードおよび信号伝送部２１６による信号伝送、等を制御する。
【００２３】
記録部（ストレージ）２１２は、例えばＨＤＤや、ブルーレイ（ＢＤ）規格、ＤＶＤ規格、ＣＤ規格等の代表される光ディスクや、ＳＤ（メモリ）カード等に代表される半導体メモリ、等の任意の記録媒体を少なくとも１つ以上再生可能で、ユーザ要求に従い、コンテンツを保持できる。
【００２４】
デコーダ２１３は、記録部２１２が保持するコンテンツすなわちデジタル信号化された様々なファイル、あるいはソース機器１０１から双方向通信インタフェースを通じて供給されるファイル（コンテンツ）を、映像信号（ファイル）および音声信号（ファイル）に分離したのち、デコードする。デコード（再生処理）可能なファイルとしては、例えばオーディオ／ビデオコンテンツ、あるいは文字などのテキストデータや写真データ等の種々のデータ、例えばビデオ（動画）については、例えばＭＰＥＧ−１、−２、−４（Ｈ．２６４／ＡＶＣ）、オーディオ（音声／音楽）については、例えばＭＰ３、ＡＣ３、リニアＰＣＭ、静止画については、例えばＪＰＥＧ、等が、広く知られている。なお、デコーダ２１３の前段に、分離部（Ｄｅｍｕｘ）が設けられ、デコーダ２１３による分離処理（工程）が、独立して実行されてもよい。
【００２５】
映像処理部２１４は、デコーダ２１３によりデコードした、あるいはソース機器１０１においてデコードされて供給された映像信号（Video）を、モニタ部（ディスプレイ）２１７が表示可能に、所定の処理を実行し、モニタ部２１７に出力する。
【００２６】
音声処理部２１５は、デコーダ２１３によりデコードした、あるいはソース機器１０１においてデコードされて供給された音声信号（Audio）を、スピーカ２１８が再生可能に、スピーカ２１８に、出力する。なお、スピーカ２１８に代えて、あるいは独立して、オーディオアンプ装置等の音声再生装置が接続されても良い。
【００２７】
なお、デコーダ２１３は、以下に説明する双方向通信インタフェースを通じて接続する相手方機器が保持するデコーダの信号処理能力（機能）や消費電力に基づいて、デコード処理を相手方機器に委ねることもできる。同様に、映像処理部２１４においても、双方向通信インタフェースを通じて接続する相手方機器の映像処理部の処理能力（再生機能）や消費電力に基づいて、映像処理を相手方機器に委ねることもできる。また、音声処理部２１５も、双方向通信インタフェースを通じて接続する相手方機器の処理能力（再生機能）や消費電力に基づいて、音声処理を相手方機器に委ねることもできる。
【００２８】
この場合、デコーダ２１３、映像処理部２１４及び音声処理部２１５のそれぞれの信号処理能力（機能）と相手方機器の対応するそれぞれの処理能力（機能）の比較は、例えば相手方機器が抽出するＥＤＩＤにより、相手方機器が（自器を）認識し、さらに後段に説明するＣＥＣラインを用いた、ベンダコマンド等を通じて自器の機能に関する情報を取得した時点で、相手方機器（ここではソース機器１０１のＣＰＵ１１１またはそのファームウエアもしくは検出のためのアプリケーション（プログラム））において、実現できる。
【００２９】
図１Ａにおいて、双方向通信インタフェース（例えばＨＤＭＩ（High-definition Digital Media Interface）規格に準拠）３０１は、ソース機器１０１の送信部（通信部）１１６およびシンク機器２０１の受信部（通信部）２１６と接続するコネクタ３１１を有する。両コネクタ３１１相互間は、所定の長さの伝送路（ケーブル）３１０により接続される。なお、コネクタ３１１は、送信と受信の識別はなく、どちらが送信側で、他の一方が受信側となる。
【００３０】
また、伝送路３１０は、図１Ｂにより後に詳述するが、ベースバンド伝送（ＨＤＭＩ伝送）を行う第一の伝送路（ベースバンド伝送路）３２１と、圧縮伝送（イーサネット伝送）を行う第二の伝送路（イーサネット伝送路）３３１、及びＣＥＣ（Consumer Electronics Control）ライン３４１を含む。
【００３１】
図１Ｂに示す伝送路３１０において、第一の伝送路（ベースバンド伝送路）３２１は、ＴＭＤＳ（Transition-Minimized Differential Signaling、遷移時間最短差動信号伝送方式）において、映像信号、例えば（Ｒ（赤），Ｇ（緑），Ｂ（青））あるいはＹＣｂＣｒや音声データの伝送に用いるデータ（Ｄａｔａ０，Ｄａｔａ１，Ｄａｔａ２）、及びクロックＣＫの伝送に用いるＣＫラインにより信号を伝送するベースバンド伝送（ＨＤＭＩ伝送）を行う。第二の伝送路（イーサネット伝送路）３３１は、上述の圧縮伝送（イーサネット伝送）を行う。ＣＥＣ（Consumer Electronics Control）ライン３４１は、上述の通り、ベンダコマンド等を通じ、シンク機器２０１及びソース機器１０１相互間において、それぞれの機能に関する情報(機器間制御信号)の受け渡しが可能である。
【００３２】
また、ベースバンド伝送路３２１は、ＴＭＤＳに比較してより解像度の高い映像信号を伝送可能な、例えばデュアルリンク（Dual Link）であってもよい。
【００３３】
一方、イーサネット伝送路３３１は、ＨＤＭＩ３０１のＨＰＤラインとＲＳＶ（Reserve、リザーブ）ラインを用いることで、（ＨＤＭＩ−ＨＥＣ（HDMI Ethernet Channel）と称することもある）ソース機器１０１側の通信部１１６におけるデコードを伴わない圧縮状態のコンテンツを、そのままの形式でシンク機器２０１側の通信部２１６に供給する。なお、ＨＰＤラインとＲＳＶラインを用いるイーサネット伝送は、ＨＤＭＩ−ＨＥＣ（ Ethernet Channel）と称することもある。
【００３４】
図２は、図１Ａ及び図１Ｂに示した双方向通信インタフェースにより相互に接続する録画再生装置（ソース機器／第一の電子機器）と映像表示装置（シンク機器／第二の電子機器）との間の映像および音声の出力方法の一例を示す。
【００３５】
第一および第二の電子機器すなわちソース機器とシンク機器は、製造時期や、基本的な設計の世代（要素部品のスペック）等に応じて、様々な特性（相違）を持つ。このため、シンク機器のデコーダの処理能力に比較してソース機器のデコーダの処理能力が高い場合やデコーダの処理能力が高いが消費電力も多い場合、等において、消費電力の少ない機器を選択したい、等のユーザが選択できるいくつかの組み合わせに関連するトレードオフが伴う場合がある。
【００３６】
すなわち、双方向通信インタフェース（ＨＤＭＩ）３０１によりソース機器１０１とシンク機器２０１とを接続した場合、ソース機器１０１とシンク機器２０１のそれぞれが有する要素（構成）、例えばデコーダ、映像処理部および音声処理部、等については、例えば消費電力が最小となる、あるいは音質を優先する、もしくは画質を優先する、というような組み合わせが、自動的に（あるいはユーザ設定により）設定（選択）できることが好ましい。なお、以下に説明する例では、トレードオフを伴う要素として、デコーダ（ソース機器側の１１３、シンク機器側の２１３）、映像処理部（ソース機器側の１１４、シンク機器側の２１４）及び音声処理部（ソース機器側の１１５、シンク機器側の２１５）を、代表させて説明する。従って、より多くの要素についての判断を加えることも可能である。また、要素の製造上の形態に変遷等により、上述の要素が１つにまとめられる場合や、４以上の複数の要素に分離される場合のあることはいうまでもない。
【００３７】
例えば、ソース機器１０１とシンク機器２０１のそれぞれの初期設定が、省電力（消費電力が最小となる）設定である場合、図２を参照して以下に説明するように、ＨＤＭＩ３０１により接続されるソース機器１０１とシンク機器２０１のそれぞれの消費電力を比較して、より消費電力が少ない機器を（自動的に）選択することができる。
【００３８】
すなわち、ソース機器１０１（図１Ａ参照）のデコーダ１１３の消費電力がＰ１、映像処理部１１４の消費電力がＰ２、音声処理部１１５の消費電力がＰ３で、シンク機器２０１（図１Ａ参照）のデコーダ２１３の消費電力がＰ４、映像処理部２１４の消費電力がＰ５、音声処理部２１５の消費電力がＰ６であるならば、「Ｐ１＋Ｐ２＋Ｐ３」であるＰ１０１（ソース機器）を求め［２１］、「Ｐ４＋Ｐ５＋Ｐ６」であるＰ２０１（シンク機器）を求め［２２］、Ｐ１０１とＰ２０１とを比較し［２３］、「Ｐ１０１  ＜  Ｐ２０１」すなわちソース機器１０１の消費電力がシンク機器２０１の消費電力より少ない場合［２３−ＹＥＳ］、ソース機器１０１のデコーダ１１３によりデコードした映像および音声を、それぞれ映像処理部１１４（ソース機器１０１側）及び音声処理部１１５（ソース機器１０１側）において処理し、ＨＤＭＩ３０１（図１Ｂに示したＴＭＤＳを用いるベースバンド（第一の）伝送路３２１）により、シンク機器２０１へ供給すればよい［２４］。
【００３９】
一方、「Ｐ１０１  ＜  Ｐ２０１」とは異なる（Ｐ１０１  ≧  Ｐ２０１）である場合［２３−ＮＯ］、ソース機器１０１の記録部１１２が保持するコンテンツ（ファイル）をイーサネット（第二の）伝送路３３１により、シンク機器２０１に供給し、シンク機器２０１のデコーダ２１３によりデコードした映像および音声を、それぞれ映像処理部２１４及び音声処理部２１５において再生処理すればよい［２５］。
【００４０】
図３Ａ及び図３Ｂは、双方向通信インタフェース（ＨＤＭＩ）３０１を用いて相互に接続するソース機器とシンク機器とにおいて、ユーザが選択できる任意の組み合わせに関連するトレードオフが伴う場合、任意のタイミングでユーザが設定（選択）可能とする例を示す。
【００４１】
例えば、ソース機器１０１とシンク機器２０１のそれぞれにおいて、    
ソース機器１０１側のデコーダ１１３の消費電力がＰ１、映像処理部１１４の機能がＦ１（消費電力はＰ２）、音声処理部１１５のメインクロックＭＣの偏差がＡ（消費電力はＰ３）、    
シンク機器２０１側のデコーダ２１３の消費電力がＰ４、映像処理部２１４の機能がＦ２すなわちソース機器１０１側のデコーダ１１３の機能（Ｆ１）と異なる場合がある（消費電力はＰ５）、音声処理部２１５のメインクロックＭＣの偏差がＢすなわちソース機器１０１側のデコーダ１１３の偏差（Ａ）と異なる場合がある（消費電力はＰ６）、    
であるものとする。
【００４２】
なお、ソース機器１０１の映像処理部１１４の機能Ｆ１、及びシンク機器２０１の映像処理部２１４の機能Ｆ２は、例えばノイズリダクション（ＤＮＲ）が複数のフレームの画像を関連付けて処理する３ＤＤＮＲタイプと１つのフレームの画像についてのみ処理する２ＤＤＮＲタイプのような優位性の違い、等である。
【００４３】
また、メインクロックＭＣの偏差は、例えばＣＳ（Communication Satellite、通信衛星を用いて中継された）放送の再生に用いる４８ＭＨｚのクロックの安定性（４８ＭＨｚに対してどの程度の精度のクロックが得られているか）について、明らかな相違（１０％程度の相違）がある、等である。
【００４４】
以下、ソース機器１０１側において、ソース機器１０１の記録部１１２が保持するコンテンツ（ファイル）をデコードした映像データ及び音声データを、ソース機器１０１側での映像処理部１１４及び音声処理部１１５において再生処理した映像信号および音声信号をＨＤＭＩ３０１によりシンク機器２０１に供給する「ベースバンド（ＨＤＭＩ）伝送」を『伝送Ａ』、ソース機器１０１の記録部１１２が保持するコンテンツ（ファイル）をそのままＨＤＭＩ３０１によりシンク機器２０１に供給し、シンク機器２０１のデコーダ２１３によりデコードした映像データおよび音声データを、それぞれ映像処理部２１４及び音声処理部２１５において再生処理する「イーサネット伝送」を『伝送Ｂ』と、呼称する。
【００４５】
なお、以下に説明するトレードオフが存在することに起因して、映像についてはベースバンド（ＨＤＭＩ）伝送し、音声についてはイーサネット伝送する『伝送Ｃ』と、音声をベースバンド伝送し、映像をイーサネット伝送する『伝送Ｄ』が存在する。
【００４６】
先ず、ソース機器１０１とシンク機器２０１がＨＤＭＩ３０１で接続されたことを検出し［１０１］、「消費電力」と「画質（映像）・音質（音声）」との間にトレードオフが存在することをチェックする［１０２］。
【００４７】
トレードオフが存在しない場合［１０２−ＮＯ］、ソース機器１０１の機能がシンク機器２０１の機能よりも高い（ソース機器１０１がシンク機器２０１より優れている）ことをチェックする［１１１］。
【００４８】
ソース機器１０１の機能がシンク機器２０１の機能よりも高い（ソース機器１０１がシンク機器２０１より優れている）場合［１１１−ＹＥＳ］、映像・音声の伝送に、『伝送Ａ』が採用（設定）される［１１２］。従い、シンク機器２０１の機能がソース機器１０１の機能よりも高い場合［１１１−ＮＯ］、映像・音声の伝送に、『伝送Ｂ』が採用（設定）される［１１３］。
【００４９】
トレードオフが存在する場合［１０２−ＹＥＳ］、図４により後段に一例を示す「ユーザ選択画面」表示４０１を、シンク機器２０１のモニタ部２１７に表示させ、ユーザに「消費電力の少ない機器の組み合わせ」の選択が可能な、例えば『電力優先』表示４１１及び「画質（映像品質）及び音質（オーディオ品位）」を優先する選択が可能な、例えば『画質・音質優先』表示４１２のいずれかに対応する制御入力の入力を促す［１０３］。
【００５０】
消費電力の少ない組み合わせを適用する『電力優先』が（ユーザにより）指示された場合［１０４−ＹＥＳ］、消費電力について、ソース機器１０１がシンク機器２０１に比較して少ない（ソース機器１０１がシンク機器２０１より優れている）ことをチェックする［１２１］。
【００５１】
ソース機器１０１の消費電力がシンク機器２０１の消費電力よりも少ない場合［１２１−ＹＥＳ］、映像・音声の伝送に、『伝送Ａ』が採用（設定）される［１２２］。従い、ソース機器１０１の消費電力がシンク機器２０１の消費電力よりも多い場合［１２１−ＮＯ］、映像・音声の伝送に、『伝送Ｂ』が採用（設定）される［１２３］。
【００５２】
図４により後段に一例を示す「ユーザ選択画面」表示４０１から、画質・音質を優先する『画質・音質優先』が（ユーザにより）指示された場合［１０４−ＮＯ］、画質と音質との間にトレードオフが存在することがチェックされる［１０５］。
【００５３】
ここで、トレードオフが存在しないことがチェックできた場合［１０５−ＮＯ］、ソース機器１０１の機能がシンク機器２０１の機能よりも高い（ソース機器１０１がシンク機器２０１より優れている）ことをチェックする［１６１］。
【００５４】
ソース機器１０１の機能がシンク機器２０１の機能よりも高い（ソース機器１０１がシンク機器２０１より優れている）場合［１６１−ＹＥＳ］、映像・音声の伝送に、『伝送Ａ』が採用（設定）される［１６２］。従い、シンク機器２０１の機能がソース機器１０１の機能よりも高い場合［１６１−ＮＯ］、映像・音声の伝送に、『伝送Ｂ』が採用（設定）される［１６３］。
【００５５】
一方、トレードオフが存在する場合［１０５−ＹＥＳ］、引き続き、画質と音質とを分離して設定できることがチェックされる［１０６］。
【００５６】
画質と音質とが分離して設定できる場合［１０６−ＹＥＳ］、ソース機器１０１とシンク機器２０１のどちらの画質処理機能が高いか、すなわちソース機器１０１の機能がシンク機器２０１の機能より高いことがチェックされる［１３１］。
【００５７】
ソース機器１０１の（映像処理）機能がシンク機器２０１の（映像処理）機能より高い場合［１３１−ＹＥＳ］、映像データについてはソース機器１０１において映像処理したのち映像信号としてベースバンド伝送し、音声データについては音声データのままシンク機器２０１に伝送する（シンク機器２０１で音声処理する）イーサネット伝送とする『伝送Ｃ』が採用（設定）される［１３２］。
【００５８】
一方、シンク機器２０１の（映像処理）機能がソース機器１０１の（映像処理）機能より高い場合［１３１−ＮＯ］、映像データについてはそのままシンク機器２０１に伝送する（シンク機器２０１で映像処理する）イーサネット伝送を用い、音声データについてはソース機器１０１において音声処理し、音声信号としてベースバンド伝送する『伝送Ｄ』が採用（設定）される［１３３］。
【００５９】
画質と音質とが分離して設定できない場合［１０６−ＮＯ］、図５により後段に一例を示す「ユーザ選択画面」表示５０１を、シンク機器２０１のモニタ部２１７に表示させ、ユーザに「画質（映像）」を優先する選択が可能な、例えば『画質優先』表示５１１及び「音質（音声）」を優先する選択が可能な、例えば『音質優先』表示５１２のいずれかに対応する制御入力の入力を促す［１０７］。
【００６０】
「ユーザ選択画面」表示５０１から、例えば画質を優先する『画質優先』が（ユーザにより）指示された場合［１０８−ＹＥＳ］、ソース機器１０１とシンク機器２０１のどちらの画質処理機能が高いか、すなわちソース機器１０１の機能がシンク機器２０１の機能より高いことがチェックされる［１４１］。
【００６１】
以下、ソース機器１０１の映像処理能力（機能）がシンク機器２０１の映像処理能力（機能）よりも高い場合［１４１−ＹＥＳ］、映像・音声の伝送に、『伝送Ａ』が採用（設定）される［１４２］。従い、シンク機器２０１の映像処理能力（機能）がソース機器１０１の映像処理能力（機能）よりも高い場合［１４１−ＮＯ］、映像・音声の伝送に、『伝送Ｂ』が採用（設定）される［１４３］。    
一方、「ユーザ選択画面」表示５０１から、例えば音質を優先する『音質優先』が（ユーザにより）指示された場合［１０８−ＮＯ］、音質について、ソース機器１０１とシンク機器２０１のどちらの処理能力（機能）が高いか、すなわちソース機器１０１の機能がシンク機器２０１の機能より高いことがチェックされる［１５１］。
【００６２】
以下、ソース機器１０１の音声処理能力（機能）がシンク機器２０１の音声処理能力（機能）よりも高い場合［１５１−ＹＥＳ］、映像・音声の伝送に、『伝送Ａ』が採用（設定）される［１５２］。従い、シンク機器２０１の音声処理能力（機能）がソース機器１０１の音声処理能力（機能）よりも高い場合［１５１−ＮＯ］、映像・音声の伝送に、『伝送Ｂ』が採用（設定）される［１５３］。
【００６３】
なお、『電力優先』が指示入力された場合［１０４−ＹＥＳ］、図２を用いて既に説明した例に準じて、「Ｐ１＋Ｐ２＋Ｐ３」であるＰ１０１（ソース機器の消費電力）と「Ｐ４＋Ｐ５＋Ｐ６」であるＰ２０１（シンク機器の消費電力）とが比較される。
【００６４】
なお、入力された指示入力が『画質・音質優先』である場合［１０４−ＮＯ］、    
ソース機器１０１の映像処理部１１４の機能Ｆ１、    
シンク機器２０１の映像処理部２１４の機能Ｆ２、    
ソース機器１０１の音声処理部１１５のメインクロックＭＣの偏差Ａ、及び    
シンク機器２０１の音声処理部２１５のメインクロックＭＣの偏差Ｂ、    
が抽出（ソース機器１０１のＣＰＵ１１１により（相違）判断可能な状態に用意）され、
ソース機器１０１の映像処理部１１４の機能Ｆ１とシンク機器２０１の映像処理部２１４の機能Ｆ２との間に相違（設計の世代（要素部品のスペック）の差異）があるか、及びソース機器１０１の音声処理部１１５のメインクロックＭＣの偏差Ａとシンク機器２０１の音声処理部２１５のメインクロックＭＣの偏差Ｂとの間に相違（設計の世代（要素部品のスペック）の差異）があるか（画質または音質もしくはその両者にトレードオフがあるか）が、ソース機器１０１のＣＰＵ１１１において、チェックされる。
【００６５】
図６は、図１Ａに示したＨＤＭＩケーブルにより接続するソース機器（レコーダ装置）として利用可能な電子機器の構成の一例を示す。
【００６６】
レコーダ（記録再生装置）６０１は、チューナ６０２、入力回路６０３、ＤＳＰ（デジタルシグナルプロセッサ）６０４、記録装置６０５、出力回路６０６、ユーザ操作入力部（リモコン信号受信回路）６０７、電源部６０８、及びＨＤＭＩ処理部６０９と接続するポート６８１を少なくとも含む。
【００６７】
チューナ６０２は、アンテナ端子６２１に接続されるアンテナまたは光ケーブル等を介して、録画対象の番組を放送するチャンネルを選局する。
【００６８】
入力端子６０３は、ビデオ（Viedo）入力端６３１およびオーディオ（Audio）入力端６３２を経由して入力されるビデオ（動画）信号およびオーディオ（音声）信号を、受けつける。
【００６９】
ＤＳＰ（シグナルプロセッサ）６０４は、主制御装置（ＣＰＵ）６４０、ネットワークコントローラ６４１、アナログ−デジタルコンバータ（ＡＤＣ）６４２、エンコーダ６４３、インタフェース６４４、デコーダ６４５、ユーザインタフェースグラフィック処理部（ＧＵＩ処理部）６４６、信号処理部６４７、セレクタ６４８、ＥＰＧ（Electric Program Guide）処理部６４９等の要素を、少なくとも含む。
【００７０】
ＤＳＰ（シグナルプロセッサ）６０４は、入力画像信号に所定の画像処理を施し、出力回路６０６及び（インタフェース６４４を経由して）ＨＤＭＩインタフェース部６０９に出力する。
【００７１】
主制御装置（ＣＰＵ）６４０は、上述した各要素の動作、電源部６０８の主電源（内部制御用２次回路を除く）のオン／オフ制御、及び図２及び図３により説明した接続相手先機器との間の消費電力、機能（要素の世代）の相違の検出及び判定を実行する。
【００７２】
ネットワークコントローラ６４１は、ＬＡＮ端子６９１を経由して、外部ネットワークから供給されるストリーム形式の番組を受信する。なお、ＬＡＮ端子６９１は、例えば同一建物内に構築される比較的小規模のネットワーク（家庭内ＬＡＮ（Local Area Network））もしくはホームサーバ（Home Saver，大容量記録装置）および接続網と接続され、例えばホームサーバを介して、外部ネットワークと接続されることもある。また、家庭内ＬＡＮあるいはネットワークは、ＤＬＮＡ（Digital Living Network Alliance（登録商標））規格に準拠することが好ましい。
【００７３】
アナログ−デジタルコンバータ（ＡＤＣ）６４２、アナログ入力されたビデオ信号およびオーディオ信号をデジタル信号に変換し、エンコーダ６４３に入力する。なお、チューナ６０２がデジタル放送を受信する場合には、チューナ６０２の出力は、そのままエンコーダ６４３に入力されることはいうまでもない。
【００７４】
エンコーダ６４３は、入力されたアナログ信号（ビデオ／オーディオ）をデジタル信号に変換（エンコード）する。なお、例えばＭＰＥＧ−２あるいはＭＰＥＧ−４（Ｈ．２６４−ＡＶＣ））等に準拠した圧縮を伴う。
【００７５】
インタフェース６４４は、記録装置５との間のデータの受け渡し、あるいはリモコン信号受光回路６０７からの制御信号の入力に利用される。ＨＤＭＩ処理部６０９には、ＨＤＭＩ端子６８１を介して、例えば図７（図１Ａ）に一例を示すテレビ装置（映像再生装置）７０１、もしくはハブが接続される。なお、ハブには、例えばＨＤＭＩ端子を備えたＡＶアンプや、ＰＣ、ＨＤＤ内蔵のＤＶＤレコーダ、ＤＶＤプレーヤ等の外部機器が接続可能である。なお、ＨＤＭＩ端子６８１がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。なお、インタフェース６４４に、上述のＨＤＭＩ処理部６０９が接続されるが、ＨＤＭＩ処理部６０９は、ネットワークコントローラ６４１に接続されてもよい。
【００７６】
デコーダ６４５は、ＭＰＥＧ−２あるいはＭＰＥＧ−４（Ｈ．２６４−ＡＶＣ））等に圧縮された番組を、デコードする。
【００７７】
ユーザインタフェースグラフィック処理部（ＧＵＩ処理部）６４６は、出力回路６０６を経由して映像出力端６６１とオーディオ出力端６６２に接続されるモニタ装置６６３に表示させるＧＵＩ（グラフィックインタフェース）画面表示を出力する。
【００７８】
ＥＰＧ処理部６４９は、例えばＢＳデジタル放送または地上デジタル放送において番組とともに送信されるＥＰＧデータもしくはＬＡＮ端子６９１を経由して外部から取得可能なＥＰＧデータを取得し、例えばＧＵＩ処理部６４６において番組の予約時に番組表を表示させるための日付、時間、チャンネル、番組長データとして保持する。なお、取得したＥＰＧデータは、図示しないメモリ装置あるいはＨＤＤ６５１（図１Ａにおける記録部１１２）の所定の領域に保存される。
【００７９】
記録装置６０５は、ＨＤＤ６５１に加え、例えばディスクドライブ装置６５２（図１Ａでは、記録部１１２として一体的に説明）を含み、ＨＤＤ６５１内のＨＤあるいはディスクドライブ装置６５２にセットされるＤＶＤ規格の光ディスクＤに対して番組を記録し、もしくは既に記録されている番組を再生する。なお、ディスクドライブ装置６５２に加え、例えば半導体メモリ（メモリカード）等に番組を記録し、あるいは既に記録されている番組を再生するリーダ／ライタ（図示しない）が用意されてもよい。
【００８０】
出力回路６０６は、映像出力端６６１およびオーディオ出力端６６２に接続される再生装置、例えばモニタ装置とスピーカ装置に、ビデオエンコーダ６４７からの映像信号とＤＡＣ６４８からのオーディオ信号を出力する。
【００８１】
リモコン信号受光回路６０７は、リモコン受光部６７１において受け付けたユーザ操作入力を、インタフェース６４４を経由して、ＣＰＵ（主制御装置）６４０に入力する。
【００８２】
電源部６０８は、ＣＰＵ６４０の制御により主電源がオフ可能であり、図示しないタイマ部にセットされた予約時間が到来した時点で主電源をオンし、上述した各要素の動作を、動作可能状態に維持する。
【００８３】
また、図７に、図１Ａに示した映像表示装置（シンク機器）に利用可能なテレビ受信装置（第二の電子機器）の構成の一例を示す。
【００８４】
放送受信装置７０１は、放送入力端子７１０、チューナ７１１、復調部７１２、信号処理部７１３、通信インタフェース７１４、音声処理部７２１、映像処理部７３１、ＯＳＤ処理部７３２、表示処理部７３３、制御部７５０、操作入力部７６１、第１の受光部７６２、カードコネクタ７６４、ＵＳＢコネクタ７６６、ディスクドライブ７７０、及び電源制御部７８０を備える。また、放送受信装置７０１は、さらにスピーカ２１８及びディスプレイ２１７を備える。
【００８５】
放送入力端子７１０は、例えばアンテナ２１９により受信されるデジタル放送信号が入力される入力端子である。アンテナ２１９は、例えば、地上デジタル放送信号、ＢＳ（Broadcasting Satellite）デジタル放送信号、及び／または、１１０度ＣＳ（Communication Satellite）デジタル放送信号を受信する。即ち、放送入力端子７１０には、放送信号により供給される番組などのコンテンツが入力される。
【００８６】
放送入力端子７１０は、受信したデジタル放送信号をチューナ７１１に供給する。チューナ７１１は、デジタル放送信号用のチューナである。チューナ７１１は、アンテナ２１９から供給されるデジタル放送信号のチューニング（選局）を行う。チューナ７１１は、チューニングしたデジタル放送信号を復調部７１２に送信する。
【００８７】
復調部７１２は、受信するデジタル放送信号の復調を行う。復調部７１２は、復調したデジタル放送信号（コンテンツ）を信号処理部７１３に入力する。即ち、アンテナ２１９、チューナ７１１、及び復調部７１２は、コンテンツを受信する受信手段として機能する。
【００８８】
信号処理部７１３は、デジタル放送信号（動画のコンテンツデータ）に対して信号処理を施す信号処理手段として機能する。信号処理部７１３は、復調部７１２から供給されるデジタル放送信号に、信号処理を施す。即ち、信号処理部７１３は、デジタル放送信号を映像信号、音声信号、及びその他のデータ信号に分離する。信号処理部７１３は、音声処理部７２１に音声信号を供給する。また、信号処理部７１３は、映像処理部７３１に映像信号を供給する。さらに、信号処理部７１３は、制御部７５０、及び／またはＯＳＤ処理部７３２にデータ信号を供給する。
【００８９】
信号処理部７１３は、通信インタフェース７１４から受信するデジタル信号に信号処理を施す。例えば、信号処理部７１３は、デジタル信号をデジタル映像信号とデジタル音声信号とデータ信号とに分離する。信号処理部７１３は、音声処理部７２１にデジタル音声信号を供給する。また、信号処理部７１３は、映像処理部７３１にデジタル映像信号を供給する。さらに、信号処理部７１３は、制御部７５０、及び／またはＯＳＤ処理部７３２にデータ信号を供給する。
【００９０】
なお、信号処理部７１３は、通信インタフェース７１４に入力されるコンテンツと、放送入力端子７１０に入力されるコンテンツとのいずれかを選択し、処理を行う。即ち、信号処理部７１３は、デジタル放送信号とデジタル信号のいずれかに対して信号の分離処理を行う。
【００９１】
音声処理部７２１は、信号処理部７１３から受信したデジタル音声信号を、スピーカ２１８により再生可能なフォーマットの信号（オーディオ信号）に変換する。音声処理部７２１は、オーディオ信号をスピーカ２１８に供給する。スピーカ２１８は、供給されるオーディオ信号に基づいて音を再生する。
【００９２】
映像処理部７３１は、信号処理部７１３から受信した映像信号を、ディスプレイ２１９で再生可能なフォーマットの映像信号に変換する。即ち、映像処理部７３１は、信号処理部７１３から受信した映像信号を、ディスプレイ２１９で再生可能なフォーマットの映像信号にデコード（再生）する。また、映像処理部７３１は、ＯＳＤ処理部１３２から供給されるＯＳＤ信号を映像信号に重畳する。映像処理部７３１は、映像信号を表示処理部７３３に出力する。
【００９３】
ＯＳＤ処理部７３２は、信号処理部７１３から供給及び図２及び図３により説明した接続相手先機器との間の消費電力、機能（要素の世代）の相違の検出及び判定を実行する。強雨されるデータ信号、及び／または制御部１５０から供給される制御信号に基づいて、ＧＵＩ（Graphical User Interface、グラフィカルユーザインタフェース）画面、字幕、時刻、または他の情報などを画面に重畳して表示するＯＳＤ信号を生成する。
【００９４】
表示処理部７３３は、例えば、制御部７５０からの制御に基づいて、受信した映像信号に対して色味、明るさ、シャープ、コントラスト、またはその他の画質調整処理を行う。表示処理部７３３は、画質調整を施した映像信号をディスプレイ２１７に供給する。ディスプレイ２１７は、供給される映像信号に基づいて映像を表示する。
【００９５】
ディスプレイ２１７は、例えば、マトリクス状に配列された複数の画素を備える液晶表示パネルと、この液晶パネルを照明するバックライトとを備える液晶表示装置などを備える。ディスプレイ２１７は、放送受信装置７０１から供給される映像信号に基づいて映像を表示する。
【００９６】
なお、放送受信装置７０１は、ディスプレイ２１７の代わりに、映像出力端子を備える構成であってもよい。また、放送受信装置７０１は、スピーカ２１８の代わりに、音声出力端子を備える構成であってもよい。
【００９７】
制御部７５０は、放送受信装置７０１の各部の動作を制御する制御手段（主制御ブロック）として機能する。制御部７５０は、ＣＰＵ（主制御ユニット）７５１、ＲＯＭ（読み出し専用メモリ）７５２、ＲＡＭ（書き換え可能（ランダムアクセス）メモリ）１５３、及びＥＥＰＲＯＭ（不揮発性メモリ）７５４、クロック（ＣＬＫ）７５５、などを備えている。制御部７５０は、操作入力部７６１から供給される操作信号に基づいて、種々の処理を行う。
【００９８】
ＣＰＵ７５１は、種々の演算処理を実行する演算素子、ファームウエアを保持し、実行するメモリ領域などを備える。ＣＰＵ７５１は、ＲＯＭ７５２、またはＥＥＰＲＯＭ７５４などに記憶されているプログラムを実行することにより種々の機能を実現する。また、ＣＰＵ７５１は、接続相手先機器すなわちソース機器（図１Ａまたは図６参照）１０１（６００）に対して、図２及び図３により説明した消費電力、機能（要素の世代）の相違の検出が可能に、ＥＤＩＤが記憶する情報の読み出しを許可する。
【００９９】
ＲＯＭ７５２は、放送受信装置７０１を制御するプログラム、及び各種の機能を実現するプログラムなどを記憶する。ＣＰＵ７５１は、操作入力部７６１から供給される操作信号に基づいて、ＲＯＭ７５２に記憶されているプログラムを起動する。これにより、制御部７５０は、各部の動作を制御する。
【０１００】
ＲＡＭ７５３は、ＣＰＵ７５１のワークメモリとして機能する。すなわち、ＲＡＭ７５３は、ＣＰＵ７５１の演算結果、ＣＰＵ７５１により読み込まれたデータ、操作入力部７６１もしくはリモートコントローラ（以下、リモコンと称する）７６３により入力される入力情報などを記憶する。
【０１０１】
ＥＥＰＲＯＭ７５４は、各種の設定情報、及びプログラムなどを記憶する。
【０１０２】
制御部７５０にはまた、半導体メモリであるカード状媒体（メモリカード）Ｍからの情報の読み出しとメモリカードＭへの情報の書き込みを可能とするカード＿ＩＦ７５５、ネットワーク接続部（通信＿ＩＦ）７５６、ＨＤＭＩ７５７（図１Ａの信号伝送部（通信部）１１６に相当）ＵＳＢ＿Ｉ／Ｆ７５８、およびｉ．Ｌｉｎｋ＿Ｉ／Ｆ（インタフェース）７５９等の任意数のＩ／Ｆ（Interface，インタフェース）群が接続され、それぞれのインタフェースに適合する外部装置、あるいはハブ（拡張装置）もしくはネットワーク制御装置として機能する。
【０１０３】
カード＿ＩＦ（インタフェース）７５５は、例えば、動画コンテンツを記憶するメモリカードＭと通信を行うインタフェースである。カード＿ＩＦ７５５は、接続されるメモリカードＭからコンテンツデータを読み出し、制御部７５０に供給する。
【０１０４】
ＨＤＭＩ７５６には、ＨＤＭＩ端子７８２を介して、例えば図６に一例を示したレコーダ（映像再生装置／第一の電子機器）２０１あるいは図示しないＡＶアンプ、もしくはハブが接続される。なお、ＡＶアンプには、図示しないが、例えばＤＶＤレコーダやＤＶＤプレーヤ等が接続される。また、ハブには、例えばＨＤＭＩ端子を備えたＡＶアンプや、ＰＣ、ＨＤＤ内臓のＤＶＤレコーダ、ＤＶＤプレーヤ等の外部機器が接続可能である。なお、ＨＤＭＩ端子７８２がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【０１０５】
ＵＳＢ（Universal Serial Bus）＿Ｉ／Ｆ（インタフェース）７５８は、ＵＳＢ機器７６７と通信を行うインタフェースである。ＵＳＢ＿Ｉ／Ｆ７５８は、接続されるＵＳＢ機器７６７から供給される信号を制御部７５０に供給する。
【０１０６】
例えば、ＵＳＢ機器７６７がキーボードなどの操作入力機器である場合、ＵＳＢ＿Ｉ／Ｆ７５８は、操作信号をＵＳＢ機器７６７から受け取る。ＵＳＢ＿Ｉ／Ｆ７５８は、受け取った操作信号を制御部７５０に供給する。この場合、制御部７５０は、ＵＳＢ＿Ｉ／Ｆ７５８から供給される操作信号に基づいて種々の処理を実行する。
【０１０７】
また、例えば、ＵＳＢ機器７６７が動画のコンテンツデータを記憶する記憶装置である場合、ＵＳＢ＿Ｉ／Ｆ７５８は、コンテンツをＵＳＢ機器７６７から取得することができる。ＵＳＢ＿Ｉ／Ｆ７５８は、取得したコンテンツを制御部７５０に供給する。
【０１０８】
操作入力部７６１は、例えば、操作キー、キーボード、マウスまたは操作入力に応じて操作信号を生成する事ができる他の入力装置などを備える入力手段である。例えば、操作入力部７６１は、操作入力に応じて操作信号を生成する。操作入力部７６１は、生成した操作信号を制御部７５０に供給する。また、放送受信装置７０１がディスプレイ２１７を備える場合、操作入力部７６１は、ディスプレイ２１７と一体に形成されるタッチパネルなどを備える構成であってもよい。
【０１０９】
受光部７６２は、例えば、リモコン７６３からの操作信号を受信するセンサなどを備える。第１の受光部７６２は、受信した信号を制御部７５０に供給する。制御部７５０は、第１の受光部７６２から供給された信号を受信し、受信した信号を増幅させてＡ／Ｄ変換を行うことにより、リモコン７６３から送信された元の操作信号を復号する。
【０１１０】
リモコン７６３は、ユーザの操作入力に基づいて操作信号を生成する。リモコン７６３は、生成した操作信号を赤外線通信により受光部７６２に送信する。なお、受光部７６２及びリモコン７６３は、電波などの他の無線通信により操作信号の送受信を行う構成であってもよい。
【０１１１】
ディスクドライブ７７０は、例えば、コンパクトディスク（ＣＤ）、デジタルバーサタイルディスク（ＤＶＤ）、ブルーレイディスク（Blu-ray Disk（登録商標）／ＢＤ）、または動画のコンテンツデータを記録可能な他の光ディスクＭを装着可能なドライブを有する。ディスクドライブ７７０は、装着される光ディスクＭからコンテンツを読み出し、読み出したコンテンツを制御部７５０に供給する。
【０１１２】
電源制御部７８０は、放送受信装置７０１の各部への電力の供給を制御する。電源制御部７８０は、例えば商用電源５００から電力を受け取る。商用電源５００は、交流の電力を電源制御部７８０に供給する。電源制御部７８０は、受け取った交流の電力を直流に変換し各部へ供給する。なお、電源制御部７８０は、例えば、ＡＣアダプタなどを介して変換された直流を直接受け付けるものであってもよい。
【０１１３】
また、放送受信装置７０１は、さらに他のインタフェースを備えていても良い。インタフェースは、例えば、Ｓｅｒｉａｌ−ＡＴＡ（Serial-Advanced Technology Attachment）、ＬＡＮ（Local Area Network）ポートなどである。放送受信装置７０１は、インタフェースにより接続される機器に記録されているコンテンツを取得し、再生することができる。また、放送受信装置７０１は、再生したオーディオ信号及び映像信号を、インタフェースにより接続される機器に出力することが出来る。
【０１１４】
また、放送受信装置７０１がインタフェースを介してネットワークに接続される場合、放送受信装置７０１は、ネットワーク上の動画のコンテンツデータを取得し、再生することができる。
【０１１５】
またさらに、放送受信装置７０１は、ハードディスクドライブ（ＨＤＤ、大容量記憶装置）や、ＳＳＤ（Solid State Drive、すなわち半導体メモリ装置に対する記録と読み出しが可能なリーダライタ）などの記憶装置を備えていても良い。この記憶装置が動画のコンテンツデータを記憶する場合、放送受信装置７０１は、この記憶装置に記憶されているコンテンツを読み出し、再生することが出来る。また、放送受信装置７０１は、この記憶装置に例えば放送信号またはネットワークなどにより供給されるコンテンツを記憶することができる。
【０１１６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１７】
１０１…レコーダ装置（録画再生装置／ソース機器／第一の電子機器）、１１１…ＣＰＵ（制御ブロック）、１１２…記録部、１１３…デコーダ、１１４…映像（Video）処理部、１１５…音声（Audio）処理部、１１６…信号伝送部（通信部）、２０１…映像表示装置（モニタ装置またはディスプレイ／シンク機器）、２１１…ＣＰＵ（制御ブロック）、２１２…記録部、２１３…デコーダ、２１４…映像（Video）処理部、２１５…音声（Audio）処理部、２１６…信号伝送部（通信部）、２１７…ディスプレイ（モニタ部）、２１８…スピーカ、２１９…アンテナ、３０１…ＨＤＭＩ（双方向通信インタフェース）、３１０…伝送路、３１１…コネクタ、３２１…ベースバンド（ＨＤＭＩ）伝送部、３３１…圧縮（イーサネット）伝送部、３４１…ＣＥＣライン、６０１…録画再生装置（レコーダ装置／ソース機器）、６０９…双方向通信インタフェース（ＨＤＭＩ部）、７０１…映像表示装置（テレビ受信装置／シンク機器）、７５６…ＨＤＭＩ部。
【図１Ａ】
2013135454.tif 000003
【図１Ｂ】
2013135454.tif 000004
【図２】
2013135454.tif 000005
【図３Ａ】
2013135454.tif 000006
【図３Ｂ】
2013135454.tif 000007
【図４】
2013135454.tif 000008
【図５】
2013135454.tif 000009
【図６】
2013135454.tif 000010
【図７】
2013135454.tif 000011